(57)【要約】【課題】専門職の技術がなくとも、容易にかつ短かい時間で施工ができ、石の交換解体、再利用可能なコストのかからない床石工法に係る。【解決手段】高さ調整治具１０の枠体１の四隅の受部５に沿って立上り縁７を形成し、受部５に石２３の裏面２４を載せ、立上り縁７の高さに揃えるように高さ調整シート２５を形成し、不陸調整を行なってレベル・基面を定めた際石２３Ａに対して、作業台１１を用いてシート２７を貼付した石２３を既設床材１９上のシート材１１に盛りつけ、支持機能接着剤３３を完全に圧縮して石２３を緊密に保持する。【選択図】　　　　図４
2004137705.tif 000002
【特許請求の範囲】
【請求項１】
高さ調整治具を準備し、この高さ調整治具の枠体の四隅の受部と、これら受部に隣り合う立上り縁の高さを石の厚さに適合させ、前記受部に方形に整形した石の裏面を乗せ、前記立上り縁の高さと揃えるように高さ調整シートを形成することにより、石の隅角部の厚さを均等にするようにした床石工法。
【請求項２】
前記高さ調整シートとしては、ゴム、プラスチック、金属板等を使用し、またジェットメルト接着剤を滴下し平コテで処理する請求項１記載の床石工法。
【請求項３】
前記高さ調整シートを形成したあと、端部から剥がすことが容易な接着剤（ピールアップセメント）を石の裏面ほぼ２０％に塗布し、この接着剤の養生時間経過後、石と接着剤との離型容易なシートを貼付する請求項２記載の床石工法。
【請求項４】
最初に既設床材に配設する石は際石として従前の石工法と同じく不陸調整行ないつつ置き、この際石によってレベル・基面を定め、次にこの際石に対して平行作業可能な長尺の架台と、この架台にとりつけた支承面と、この支承面に付設した受けアングル材とからなる作業治具において、前記際石に対して隣接する石を敷設し、その後前記架台に沿って、逐次石を敷設する床石工法。
【請求項５】
前記既設床材には、解体時接着剤の剥離を容易にするシート材をあらかじめ敷設してなる請求項４記載の床石工法。
【請求項６】
前記石の敷設に当って前記シート材の上に、支持機能接着剤を適宜受けアングル材より高く盛りつけ、石を敷設するに当って、前記支持機能接着剤を圧縮して前記受けアングル材又は支承面に接するようにした床石工法。
【請求項７】
前記支持機能接着剤として、石膏プラスターを主材とし、増量材として珪砂を、さらにモルタル硬化促進剤を所定比率で混合したもので従来接着剤より作業性を向上したものを使用してなる請求項６記載の床石工法。
【発明の詳細な説明】
【０００１】
【発明の属する技術分野】
この発明は、チェーン展開している店舗、床面積の広い大型店舗や、短期間の展示建物等において、大量使用によるコストダウン、オープン時までの時間短縮、解体・原状復帰を容易などを達成するための床石工法に関する。
【０００２】
【従来の技術】
従来、天然石（大理石、花崗岩など）を、一定厚さの板状に切断し、この板状の石を正方形や矩形に整形し、少なくとも片面を研磨又は割り肌面加工を施こし、または片面を水研ぎ仕上した鏡面状のものとしたものが使用されている（例えば、非特許文献１参照）。この場合、形状、性状的には一見して類似した窯業系タイルとの違いは、個々の板が、サイズ、厚さ、模様などのバラツキが大きいことが挙げられる。
【０００３】
【非特許文献】
産業調査会発行「新版建築工法事典Ｐ．５０７〜　４．４石張り工法」
【０００４】
したがって、石の厚み寸法（幅及び長さ）など精度がよくないので施工に手間取ると共に、土間床（コンクリート床）の不陸調整のためにも大量のモルタルや砂を必要とし、また不陸調整と石支持のために高価な接着剤を多量に使用することが石貼り工事のコスト高の原因となっている。また解体後の再利用を考えていない接着剤の施工が増えてきており、現場施工（切り欠き、開口）に手間どり、コスト高を招く加工ロスが多く発生し、また専門職（石職人）ということで、加工費が高く、施工時間がかかるという問題があった。
【０００５】
【発明が解決しようとする課題】
ここでこの発明は、従来石職人という業態での慣習で行われていた施工方法を見直し、専門職の技術がなくとも、容易にかつ短かい時間で施工ができ、石の交換解体を容易に行え、再利用も可能としたコストのかからない床石工法を提供しようとするものである。
【０００６】
従来、石貼り工事の接着剤の機能としては、（１）石を固定するための接着機能、（２）モルタルと同様な不陸調整を兼ねた支持材機能の２通りがある。この発明はこれら２つの機能をそれぞれ安価なコストの接着剤を使い分けることと、接着剤からの離型を容易にするために特殊シートを介在させることにより、短工期・低コスト・再利用可能を実現する石工法とするものである。
【０００７】
【課題を解決するための手段】
この発明の請求項１に記載の床石工法においては、高さ調整治具を準備し、この高さ調整治具の枠体の四隅の受部と、これら受部に隣り合う立上り縁の高さを石の厚さに適合させ、前記受部に方形に整形した石の裏面を載置し、前記立上り縁の高さと揃えるように高さ調整シートを形成することにより、石の隅角部の厚さを均等にするようにした。
【０００８】
この発明の請求項２に記載の床石工法は、前記請求項１において、前記高さ調整シートとしては、ゴム、プラスチック、金属板等を使用し、またジェットメルト接着剤を滴下し平コテで処理する。
【０００９】
この発明の請求項３に記載の床石工法は、前記請求項２において、前記高さ調整シートを形成したあと、端部から剥がすことが容易な接着剤（ピールアップセメント）を石の裏面ほぼ２０％に塗布し、この接着剤の養生時間経過後、石と接着剤との離型容易なシートを貼付する。
【００１０】
この発明の請求項４に記載の床石工法は、最初に既設床材に配設する石は際石として従前の石工法と同じく不陸調整行ないつつ載置し、この際石によってレベル・基面を定め、次にこの際石に対して平行作業可能な長尺の架台と、この架台にとりつけた支承面と、この支承面に付設した受けアングル材とからなる作業治具において、前記際石に対して隣接する石を敷設し、その後前記架台に沿って、逐次石を敷設する。
【００１１】
この発明の請求項５に記載の床石工法は、前記請求項４において、前記既設床材には、解体時接着剤の剥離を容易にするシート材をあらかじめ付設してなる。
【００１２】
この発明の請求項６に記載の床石工法は、前記石の敷設に当って前記シート材の上に、支持機能接着剤を適宜受けアングル材より高く盛りつけ、石を敷設するに当って、前記支持機能接着剤を圧縮して前記受けアングル材に接するようにした。
【００１３】
この発明の請求項７に記載の床石工法は、前記請求項６において、前記支持機能接着剤として、石膏プラスターを主材とし、増量材として珪砂を、さらにモルタル硬化促進剤を所定比率で混合したもので作業性を向上したものを使用してなる。
【００１４】
【発明の実施の形態】
次にこの発明の床石工法に使用する高さ調整治具と作業治具について、図１ないし図４によって説明する。
図１及び図２は高さ調整治具であって、使用する石の寸法より大きい四方形の枠体１の四隅に脚台２（図２にはそのうちの一つが示されている）を配設し、これら脚台２上に前記枠体１を挟んでＬ形材３をねじ４止めし、また前記枠体１の四隅に前記Ｌ形材３に隣接して受部５をボルト、ナット等の締め付け具６で固着する。
【００１５】
前記Ｌ形材３の垂直部分は立上り縁７を形成し、この立上り縁７の頂面８は、後述する石の隅角部に関し、前記受部５との間で所定の厚みの調整に使用されるものであって、その機能及び方法については後述する。なお９は石の中央部を支持する受片である。以上各部分によって高さ調整治具１０を構成する。
【００１６】
次に図３及び図４において、作業治具１１は、図３、４において中空の断面形状を示した図５の形状の長尺の架台１２を有し、この架台１２の前記中空の部分を貫通して調整ボルト１３を通し、このボルト１３は前記架台１２の頂壁１４に形成したねじ部１５にねじ込まれ、このボルト１３の下端部１６、架台１２の床壁１７に形成したばか穴１８を介して下方に突出し、土間コンクリート床のような既設床材１９の面２０に接触する。
【００１７】
前記架台１２には支承面２１を構成するＬ形材を取り付けてあり、このＬ形材には逆Ｔ形材からなる受けアングル材２２を付設し、この受けアングル材２２は石材間の目地を形成するのに役立たせるものとする。
【００１８】
図１及び図２に示した高さ調整治具１０に戻って、石２３の厚さを調整する方法について説明する。石２３の大きさは作業者が１人で作業することから、４００×４００ｍｍサイズで厚さは１２〜１５ｍｍ、重量６Ｋｇ／枚までのものが適当と考えるが、切り出された石はその厚さが一定していないのでこれを石の四隅の厚さで調整するのであって、図２に対応する図６において、石２３の裏面２４を上向きにして受部５に乗せる。ここで石２３はその四隅角部（図６にはその一隅角部のみが示されている）の厚みは当然のことながら不揃いである。そこで受部５に乗っている石２３に高さ調整シート層２５を形成するのである。
【００１９】
この高さ調整シート２５は、ゴム、プラスチック、金属などが考えられるが、精度、加工性、コストを考慮すると、ジェットメルト接着剤を滴下し、平コテを用いて所望の厚さすなわち、前記立上り縁７の頂面８の高さに合わせるのである。この操作を石２３の各隅角部において行えば、石２３を敷設する状態にした場合において各隅角部が同一厚さになるのである。
【００２０】
図６において、前記調整シート２５を形成したあと、前記調整シート２５上に石２３のほぼ２０％の範囲に端部から剥がすことが容易なように接着剤（例えばピールアップセメント等）２６を塗布すると共に、この接着剤２６の養生時間経過後、石２３と接着剤２６との離型容易なシート２７を貼付するのである。
【００２１】
次に図７は建造物２８の一部分の平面図を示すものであって、この図において、２９は柱を示し、また壁は３０をもって示されている。既設床材１９にこの発明の床石を構成するに当って、先ず最初に配設する石は際石２３Ａとして従前の石工法と同じように不陸調整を行いつつ置くものであって、その態様を図８ないし図９によって説明する。
【００２２】
図８は前記際石２３Ａの基面造りをする態様を示し、既設床材１９上に受けレベルマウンド３１，３２を配設して、これら受けレベルマウンド３１，３２間に際石２３Ａを置き、この際、レーザービームを用いて、レベル、通りを決め、次に図９のように石２３Ａを支持機能接着剤３３によって圧縮するのであって、その方法としては図１１に示すように先ず石２３Ａの面には図６に示したようにシート２７が設けられており、一方既設床材１９にも、解体時に支持機能接着剤３３の剥離を容易にするシート材３４があらかじめ敷設されており、このシート材３４の上に支持機能接着剤３３を山形状に盛り上げておく。
【００２３】
次いで前記石材２３Ａ（２３）を押し下げて行くと、支持機能接着剤３３は圧縮されて図１２のように石２３Ａ（２３）を所定のレベルに保持させるようになる。この方法は後述する際石２３Ａ以外のすべての石２３についても同様である。このようにして図９のように所定のレベルに乗せたあと、後述する作業治具１１による前記際石２３Ａ以外のすべての石２３について配設を行なうのである。
【００２４】
図１０は前記際石２３Ａに対する敷設が終ったあと、作業治具１１の架台１２を際石２３Ａに対して石２３の幅を置いて配置し、この際、ねじ廻し３５などで調整ボルト１３を進退させ、既設床材１９に対する架台１２の高さ調整を行う。この図において３６は架台１２の転倒防止兼レベル出し板であって、際石２３Ａ上部に置くものである。次いで前記支持面２１に対して石２３を配設するに当って、前記図１１及び図１２で示した方法を行なうのであって、すなわち、既設床材１９上に山形状に配設した支持機能接着剤３３（図３）に対してシート２７を取りつけた石２３を図１２に示すように圧縮するのである。この際は図１０において際石２３Ａに対する石２３の水準調整は水準器３７などを用いて行うものとする。
【００２５】
上記したところを図３及び図４によって説明すると、あらかじめ既設床材１９上に敷かれたシート材３４には支持機能接着剤３３が盛り付けられており、図３に示すようにこの支持機能接着剤３３に向かって石２３を押しつけて行くと、石２３の下面のシート２７が順次、支持機能接着剤３３を圧縮して行くと、石２３は受けアングル材２２に載設され、この間に前記支持機能接着剤３３は完全に圧縮されて石２３を緊密に保持することになり、際石２３Ａとのレベル、通りが得られるのである。
【００２６】
上記説明では逆Ｔ字形材からなる受けアングル材２２に対して石材２３を載架するように説明したが、この受けアングル材２２は例えば目地形成のために用いるのであるが、実用上支承面２１で石２３を受けるようにすることができ、これは必要に応じて選択可能である。
【００２７】
上述のようにして際石２３Ａに対して石２３を順次組みつけて行くものであって、前記転倒防止兼レベル出し板３６を際石２３Ａの上部に置き、次の石２３１枚分作業治具１１をずらした時、調整ボルト１３によってレベル高さをあわせ、既設床材との不陸を調整するのである。この作業は図７に示した際石２３Ａ以外のすべての石２３に対して実施するものである。
【００２８】
この図７において、石２３が敷設された以外の壁３０際のすき間３８については、本石以外の部材（アルミ又は樹脂押出板、カラーモルタル等）で加工性のよいものを使用することにより施工時間の短縮をはかることができる。
【００２９】
【発明の効果】
従来、石貼り工事の接着剤の機能としては、（１）石を固定するための接着機能。（２）砂・モルタルと同様な不陸調整を兼ねた支持機能の２通りがあるが、この発明は、上記２つの機能をそれぞれ安価なコストの接着剤を使い分けること、その離型を容易にするために特殊シートを介在させることにより、短工期・低コスト・再利用可能性を実現するものである。
【図面の簡単な説明】
【図１】高さ調整治具の平面図である。
【図２】図１のＩＩ−ＩＩ線に沿う拡大断面図である。
【図３】作業治具の要部の断面図である。
【図４】図３に示した作業治具による作業の一態様を示す図である。
【図５】作業治具が長手方向に延長している状況を示す図である。
【図６】高さ調整治具上での石の状況を示す図である。
【図７】建造物の一部分の平面図である。
【図８】際石の基面造りの状況を示す説明図である。
【図９】図８の状況により進んだ状況の説明図である。
【図１０】図９より更に進んだ状況であって、際石に対し作業治具を用いて石を並べて敷設する態様を示す。
【図１１】石を既設床材に対して押しつける前の段階の説明図である。
【図１２】石が既設床材に押しつけられて支持機能接着剤が圧縮された状態を示す説明図である。
【符号の説明】
１　　　枠材
５　　　受部
７　　　立上り縁
１０　　高さ調整治具
１１　　作業治具
１２　　架台
１９　　既設床材（土間コンクリート床）
２１　　支承面
２２　　受けアングル材
２３　　石
２３Ａ　際石
２４　　裏面
２５　　高さ調整シート
２６　　接着剤（ピールアップセメント）
２７　　シート
３３　　支持機能接着剤
３４　　シート材
【図１】
2004137705.tif 000003
【図２】
2004137705.tif 000004
【図３】
2004137705.tif 000005
【図４】
2004137705.tif 000006
【図５】
2004137705.tif 000007
【図６】
2004137705.tif 000008
【図７】
2004137705.tif 000009
【図８】
2004137705.tif 000010
【図９】
2004137705.tif 000011
【図１０】
2004137705.tif 000012
【図１１】
2004137705.tif 000013
【図１２】
2004137705.tif 000014